(57)【特許請求の範囲】
【請求項１】
筐体と、
把持部と、側面視で前記把持部に対して屈曲した状態で前記把持部の一方の端部に設けられた読取部と、前記把持部の他方の端部から引き出されたケーブルと、を有するハンドスキャナと、
前記筐体の側面に取り付けられ、前記ハンドスキャナを保持するハンドスキャナホルダと、を備えるスキャナ装置であって、
前記ハンドスキャナホルダは、前記筐体の側面に取り付けられる基台部を有し、
前記基台部は、第１間隔を挟んで互いに対向する一対の保持片を有し、
前記一対の保持片は、前記一対の保持片の上方から当該一対の保持片の間に挿入される前記ハンドスキャナの前記把持部の下部を、当該把持部の上部が上方に突出し、当該一対の保持片にそれぞれ設けられたリブ状突起が前記把持部の下部に当接し、かつ、その当接した点を中心に回転しようとする前記ハンドスキャナの前記把持部の下部に一部が当接した状態で保持する保持凹部を形成している、スキャナ装置。
【請求項２】
前記基台部は、さらに、ガイド部を有し、
前記ガイド部は、前記基台部が前記筐体の側面に取り付けられた状態で上部に位置し、
前記保持凹部は、前記基台部が前記筐体の側面に取り付けられた状態で下部に位置し、
前記ガイド部は、第２間隔を挟んで対向する一対のガイド片を有し、
前記第２間隔は、前記基台部の上端から下端に向かうに従って徐々に狭くなる、請求項１に記載のスキャナ装置。
【請求項３】
前記保持凹部は、前記ハンドスキャナの前記把持部に対応する形状である、請求項１又は２に記載のスキャナ装置。
【請求項４】
前記ハンドスキャナを前記ハンドスキャナホルダに保持させる際、前記ガイド部が前記読取部をガイドし、前記保持凹部が前記把持部を保持する、請求項２に記載のスキャナ装置。
【請求項５】
前記第１間隔は、前記ケーブルの通過を許容する間隔であり、
前記第２間隔は、前記読取部の横方向の幅に対応する間隔である、請求項２又は４に記載のスキャナ装置。
【請求項６】
前記一対の保持片は、前記第１間隔の中心線に対して対称の形状であり、
前記一対のガイド片は、前記第２間隔の中心線に対して対称の形状である、請求項２、４又は５に記載のスキャナ装置。
【請求項７】
筐体の側面に取り付けられ、ハンドスキャナを保持するハンドスキャナホルダであって、
前記筐体の側面に取り付けられる基台部を有し、
前記基台部は、第１間隔を挟んで対向する一対の保持片を有し、
前記一対の保持片は、前記一対の保持片の上方から当該一対の保持片の間に挿入される前記ハンドスキャナの把持部の下部を、当該把持部の上部が上方に突出し、当該一対の保持片にそれぞれ設けられたリブ状突起が前記把持部の下部に当接し、かつ、その当接した点を中心に回転しようとする前記ハンドスキャナの前記把持部の下部に一部が当接した状態で保持する保持凹部を形成している、ハンドスキャナホルダ。
【請求項８】
前記基台部は、さらに、ガイド部を有し、
前記ガイド部は、前記基台部が前記筐体の側面に取り付けられた状態で上部に位置し、
前記保持凹部は、前記基台部が前記筐体の側面に取り付けられた状態で下部に位置し、
前記ガイド部は、第２間隔を挟んで対向する一対のガイド片を有し、
前記第２間隔は、前記基台部の上端から下端に向かうに従って徐々に狭くなる、請求項７に記載のハンドスキャナホルダ。
【請求項９】
ハンドスキャナの把持部の下部を、第１間隔を挟んで互いに対向する一対の保持片により形成される保持凹部の上方から当該保持凹部に挿入するステップと、
前記把持部の上部が前記保持凹部から上方に突出し、当該一対の保持片にそれぞれ設けられたリブ状突起が前記把持部の下部に当接し、かつ、その当接した点を中心に回転しようとする前記ハンドスキャナの前記把持部の下部に一部が当接した状態で、前記保持凹部に挿入された前記把持部の下部を前記保持凹部により保持するステップと、を備えるハンドスキャナ保持方法。
【請求項１０】
前記ハンドスキャナの下部の下端部から引き出されたケーブルが前記第１間隔を通過するステップをさらに備える請求項９に記載のハンドスキャナ保持方法。
【発明の詳細な説明】
【技術分野】
【０００１】
本発明は、スキャナ装置、ハンドスキャナホルダ、及びハンドスキャナ保持方法に関する。
【背景技術】
【０００２】
図１０は、特許文献１に記載のハンドスキャナ１２０とハンドスキャナホルダ１３０の斜視図である。図１１は、ハンドスキャナ１２０の把持部１２１を片手で把持してハンドスキャナ１２０をハンドスキャナホルダ１３０から取り出そうとしている様子を表す斜視図である。
【０００３】
図１０に示すように、ハンドスキャナ１２０と、ハンドスキャナ１２０を保持するハンドスキャナホルダ１３０と、を備えるスキャナ装置が例えば特許文献１に記載されている。特許文献１に記載のハンドスキャナ１２０は、片手で把持する把持部１２１と、バーコードを読み取る読取部１２２と、を備えている。読取部１２２は、把持部１２１に向かって横幅が狭くなるテーバ状の左側部１２２ａ及び右側部１２２ｂを有している。
【０００４】
特許文献１に記載のスキャナ装置においては、読取部１２２のテーパ状の両側部１２２ａ、１２２ｂがハンドスキャナホルダ１３０の基台部１３１の前面の左右両側に設けられた一対のアーム１３２ａ、１３２ｂに当接し、かつ、ハンドスキャナ１２０の把持部１２１が一対のアーム１３２ａ、１３２ｂより下方に突出した状態で、ハンドスキャナ１２０は、ハンドスキャナホルダ１３０に保持される。
【先行技術文献】
【特許文献】
【０００５】
【特許文献１】特開２０１６−７１５９４号公報
【発明の概要】
【発明が解決しようとする課題】
【０００６】
上記のように、特許文献１に記載のスキャナ装置においては、ハンドスキャナ１２０がハンドスキャナホルダ１３０に保持された状態でハンドスキャナ１２０の把持部１２１が一対のアーム１３２ａ、１３２ｂの下方に位置する。そのため、図１１に示すように、把持部１２１を片手で把持してハンドスキャナ１２０をハンドスキャナホルダ１３０から取り出す際（例えば、上方に引き上げるように取り出す際）、ハンドスキャナ１２０の把持部１２１を把持した手指がハンドスキャナホルダ１３０に当たってしまい、ハンドスキャナ１２０をハンドスキャナホルダ１３０からスムーズに取り出すのが難しいという問題点があった。
【０００７】
本発明の目的は、上述した課題を鑑み、ハンドスキャナをハンドスキャナホルダから取り出す際、ハンドスキャナの把持部を把持した手指がハンドスキャナホルダに当たるのを抑制することができるスキャナ装置、ハンドスキャナホルダ、及びハンドスキャナ保持方法を提供することにある。
【課題を解決するための手段】
【０００８】
本発明のスキャナ装置は、筐体と、把持部と、側面視で前記把持部に対して屈曲した状態で前記把持部の一方の端部に設けられた読取部と、前記把持部の他方の端部から引き出されたケーブルと、を有するハンドスキャナと、前記筐体の側面に取り付けられ、前記ハンドスキャナを保持するハンドスキャナホルダと、を備えるスキャナ装置であって、前記ハンドスキャナホルダは、前記筐体の側面に取り付けられる基台部を有し、前記基台部は、第１間隔を挟んで互いに対向する一対の保持片を有し、前記一対の保持片は、前記一対の保持片の上方から当該一対の保持片の間に挿入される前記ハンドスキャナの前記把持部の下部を、当該把持部の上部が上方に突出した状態で保持する保持凹部を形成している。
【０００９】
本発明のハンドスキャナホルダは、前記筐体の側面に取り付けられる基台部を有し、前記基台部は、第１間隔を挟んで対向する一対の保持片を有し、前記一対の保持片は、前記一対の保持片の上方から当該一対の保持片の間に挿入される前記ハンドスキャナの把持部の下部を、当該把持部の上部が上方に突出した状態で保持する保持凹部を形成している。
【００１０】
本発明のハンドスキャナ保持方法は、ハンドスキャナの把持部の下部を、第１間隔を挟んで互いに対向する一対の保持片により形成される保持凹部の上方から当該保持凹部に挿入するステップと、前記把持部の上部が前記保持凹部から上方に突出した状態で、前記保持凹部に挿入された前記把持部の下部を前記保持凹部により保持するステップと、前記ハンドスキャナの下部の下端部から引き出されたケーブルが前記第１間隔を通過するステップと、を備える。
【発明の効果】
【００１１】
本発明により、ハンドスキャナをハンドスキャナホルダから取り出す際、ハンドスキャナの把持部を把持した手指がハンドスキャナホルダに当たるのを抑制することができるスキャナ装置、ハンドスキャナホルダ、及びハンドスキャナ保持方法を提供することができる。
【図面の簡単な説明】
【００１２】
【図１】実施形態１のスキャナ装置１Ａの斜視図である。
【図２】実施形態２のスキャナ装置１Ｂの斜視図である。
【図３】ハンドスキャナホルダ３０Ａに保持されたハンドスキャナ２０の斜視図である。
【図４】ハンドスキャナ２０の六面図である。
【図５】ハンドスキャナホルダ３０Ａの斜視図である。
【図６】ハンドスキャナホルダ３０Ａの六面図である。
【図７】（ａ）図６（ａ）のＡ−Ａ断面図、（ｂ）図６（ｅ）のＢ−Ｂ断面図である。
【図８】図７（ａ）のＣ−Ｃ断面図である。
【図９】ハンドスキャナ２０の把持部２１を片手で把持してハンドスキャナ２０をハンドスキャナホルダ３０Ａから取り出そうとしている様子を表す斜視図である。
【図１０】特許文献１に記載のハンドスキャナ１２０とハンドスキャナホルダ１３０の斜視図である。
【図１１】ハンドスキャナ１２０の把持部１２１を片手で把持してハンドスキャナ１２０をハンドスキャナホルダ１３０から取り出そうとしている様子を表す斜視図である。
【発明を実施するための形態】
【００１３】
（実施形態１）
以下、本発明の実施形態１であるスキャナ装置１Ａについて添付図面を参照しながら説明する。各図において対応する構成要素には同一の符号が付され、重複する説明は省略される。
【００１４】
まず、図１を用いて、実施形態１のスキャナ装置１Ａの構成について説明する。
【００１５】
図１は、実施形態１のスキャナ装置１Ａの斜視図である。
【００１６】
図１に示すように、実施形態１のスキャナ装置１Ａは、セミセルフ精算装置１０の筐体１１と、ハンドスキャナ２０と、ハンドスキャナホルダ３０と、を備えている。
【００１７】
ハンドスキャナ２０は、把持部２１と、側面視で把持部２１に対して屈曲した状態で把持部２１の一方の端部（図１中、上端部）に設けられた読取部２２と、把持部２１の他方の端部（図１中、下端部）から引き出されたケーブル２４と、を有している。
【００１８】
ハンドスキャナホルダ３０は、筐体１１の側面に取り付けられ、ハンドスキャナ２０を保持する。
【００１９】
ハンドスキャナホルダ３０は、筐体１１の側面に取り付けられる基台部３１を有している。基台部３１は、第１間隔を挟んで互いに対向する一対の保持片３４ａ、３４ｂを有している。
【００２０】
一対の保持片３４ａ、３４ｂは、当該一対の保持片３４ａ、３４ｂの上方から当該一対の保持片３４ａ、３４ｂの間に挿入されるハンドスキャナホルダ３０の把持部２１の下部２１ａを、当該把持部２１の上部２１ｂが上方に突出した状態で保持する保持凹部３４を形成している。
【００２１】
以上のように、ハンドスキャナ２０は、ハンドスキャナホルダ３０Ａに保持される（図３参照）。具体的には、ハンドスキャナ２０は、ハンドスキャナ２０の把持部２１の上部２１ｂがハンドスキャナホルダ３０の保持凹部３４から上方に突出し、かつ、把持部２１の下部２１ａがハンドスキャナホルダ３０の保持凹部３４に挿入された状態でハンドスキャナホルダ３０に保持される。
【００２２】
ハンドスキャナ２０は、把持部２１（上部２１ｂ）を片手で把持し、当該把持したハンドスキャナ２０を上方に引き上げることで、ハンドスキャナホルダ３０から取り出すことができる。
【００２３】
その際、ハンドスキャナ２０がハンドスキャナホルダ３０（保持凹部３４）に保持された状態でハンドスキャナ２０の把持部２１（上部２１ｂ）が保持凹部３４の上方に位置するため、ハンドスキャナ２０をハンドスキャナホルダ３０から取り出す際、ハンドスキャナ２０の把持部２１（上部２１ｂ）を把持した手指がハンドスキャナホルダ３０に当たるのを抑制することができる。その結果、ハンドスキャナ２０をハンドスキャナホルダ３０からスムーズに取り出すことができる。
【００２４】
以上説明したように、実施形態１によれば、ハンドスキャナ２０をハンドスキャナホルダ３０から取り出す際（例えば、上方に引き上げるように取り出す際）、ハンドスキャナ２０の把持部２１（上部２１ｂ）を把持した手指がハンドスキャナホルダ３０に当たるのを抑制することができるスキャナ装置、ハンドスキャナホルダ、及びハンドスキャナ保持方法を提供することができる。その結果、ハンドスキャナ２０をハンドスキャナホルダ３０からスムーズに取り出すことができる。
【００２５】
（実施形態２）
以下、本発明の実施形態２であるスキャナ装置１Ｂについて添付図面を参照しながら説明する。各図において対応する構成要素には同一の符号が付され、重複する説明は省略される。実施形態２のスキャナ装置１Ｂは、ハンドスキャナホルダ３０（基台部３１）がさらにガイド部３３を備えている点が実施形態１のスキャナ装置１Ａと相違する。それ以外実施形態１のスキャナ装置１Ａと同様の構成である。以下、実施形態２のハンドスキャナホルダをハンドスキャナホルダ３０Ａと記載する。その他、実施形態１と同様の構成については同一の符号を付す。
【００２６】
まず、図２を用いて、実施形態２のスキャナ装置１Ｂの構成について説明する。
【００２７】
図２は、実施形態２のスキャナ装置１Ｂの斜視図である。
【００２８】
図２に示すように、実施形態２のスキャナ装置１Ｂは、セミセルフ精算装置１０と、顧客（ユーザ）が精算の際に用いるハンドスキャナ２０と、ハンドスキャナ２０を保持するハンドスキャナホルダ３０Ａと、を備えている。
【００２９】
セミセルフ精算装置１０は、顧客自身が、現金や電子マネー等で購入する商品の代金の精算を行う装置で、紙幣取扱装置、硬貨取扱装置、カードリーダ等を備えている。セミセルフ精算装置１０は、筐体１１を備えている。筐体１１の側面には、ハンドスキャナホルダ３０Ａが取り付けられている。セミセルフ精算装置１０は周知の装置であるため、これ以上の説明は省略する。
【００３０】
次に、ハンドスキャナ２０の構成について説明する。ハンドスキャナ２０は、例えば、顧客の会員カードのバーコードを読み取る際に用いられる。
【００３１】
図３は、ハンドスキャナホルダ３０Ａに保持されたハンドスキャナ２０の斜視図である。図４（ａ）〜図４（ｆ）は、ハンドスキャナ２０の六面図である。具体的には、図４（ａ）はハンドスキャナ２０の背面図、図４（ｂ）は正面図、図４（ｃ）は左側面図、図４（ｄ）は右側面図、図４（ｅ）は平面図、図４（ｆ）は底面図である。
【００３２】
以下、説明の便宜のため、図３に示すように、「上」、「下」、「前」、「後」、「右」、「左」を定義する。「上」、「下」、「前」、「後」、「右」、「左」は、ハンドスキャナホルダ３０Ａがセミセルフ精算装置１０の筐体１１の側面に取り付けられた姿勢、及び、ハンドスキャナ２０が筐体１１の側面に取り付けられたハンドスキャナホルダ３０Ａに保持された姿勢における方向を意味するものとする。また、図４等に示すように、ＸＹＺ軸を定義する。Ｘ軸及びＹ軸は、同一平面内で直交している。Ｚ軸は、ＸＹ平面に直交する方向に延びている。具体的には、Ｘ軸は、前後方向に延びている。Ｙ軸は、左右方向に延びている。Ｚ軸は、上下方向に延びている。
【００３３】
図４（ａ）、図４（ｂ）に示すように、ハンドスキャナ２０は、ハンドスキャナ２０の中心線ＡＸ２０に対して線対称の形状である。
【００３４】
図３、図４に示すように、ハンドスキャナ２０は、片手で把持する把持部２１と、バーコードを読み取る読取部２２と、把持部２１と読取部２２の間の中間部２３（屈曲部）と、ケーブル２４と、を備えている。
【００３５】
図４（ｃ）、図４（ｄ）に示すように、ハンドスキャナ２０は、側面視でくの字の形状である。具体的には、読取部２２は、側面視で中間部２３を介して把持部２１に対して鈍角に屈曲した状態で把持部２１の上端部に設けられている。
【００３６】
図４（ａ）に示すように、読取部２２は、把持部２１（上端部）に向かって横幅（Ｙ軸方向の長さ）が狭くなるテーパ状の両側部（左側部２２ａ及び右側部２２ｂ）を有している。具体的には、読取部２２の左側部２２ａ及び右側部２２ｂは、それぞれ、読取部２２の上端から下端に向かうに従って読取部２２の横幅が徐々に狭くなるように傾斜している。
【００３７】
把持部２１は、ＸＹ平面による断面形状が楕円形状（図８参照）でＺ軸方向に延びる棒状部である。以下、把持部２１のうち、ハンドスキャナホルダ３０Ａの保持凹部３４に挿入される部分を下部２１ａと呼び、保持凹部３４から上方に突出する部分を上部２１ｂと呼ぶ（図３、図７（ａ）参照）。
【００３８】
図４（ａ）、図４（ｂ）に示すように、把持部２１の下部２１ａの下端部（下面）は、背面視及び正面視で下方に向かって凸のＵ字形状である。一方、図４（ｃ）、図４（ｄ）に示すように、把持部２１の下部２１ａの下端部（下面）は、側面視で後方斜め上方に向かって傾斜しかつ下方に向かって凸のＵ字に近い形状である。
【００３９】
図４（ａ）等に示すように、ケーブル２４は、把持部２１の下部２１ａの下端部（下面）から引き出されている。ケーブル２４は、ハンドスキャナ２０の内部において読取部２２と電気的に接続されている。ハンドスキャナ２０（読取部２２）により読み取られたバーコード情報は、ケーブル２４を介してセミセルフ精算装置１０に送られる。
【００４０】
次に、ハンドスキャナホルダ３０Ａの構成について説明する。
【００４１】
図５は、ハンドスキャナホルダ３０Ａの斜視図である。図６（ａ）〜図６（ｆ）は、ハンドスキャナホルダ３０Ａの六面図である。具体的には、図６（ａ）はハンドスキャナホルダ３０Ａの正面図、図６（ｂ）は背面図、図６（ｃ）は左側面図、図６（ｄ）は右側面図、図６（ｅ）は平面図、図６（ｆ）は底面図である。
【００４２】
図６（ａ）、図６（ｂ）に示すように、ハンドスキャナホルダ３０Ａは、ハンドスキャナホルダ３０Ａの中心線ＡＸ３０Ａに対して線対称の形状である。
【００４３】
図５、図６に示すように、ハンドスキャナホルダ３０Ａは、基台部３１を有している。基台部３１は、基台部本体３２と、ガイド部３３と、保持凹部３４と、を備えている。
【００４４】
ハンドスキャナホルダ３０Ａは、基台部本体３２に形成されたネジ用穴３２ａ（３カ所）に挿入されたネジ（図示せず）をセミセルフ精算装置１０の筐体１１の側面にネジ止めすることにより、セミセルフ精算装置１０の筐体１１の側面に取り付けられる（図２参照）。その際、ハンドスキャナホルダ３０Ａは、ガイド部３３が上部に位置し、かつ、保持凹部３４が下部に位置した姿勢で取り付けられる。
【００４５】
図５、図６に示すように、基台部本体３２は、板状体で、上部に配置された第１板状部３５と、下部に配置された第２板状部３６と、第１板状部３５と第２板状部３６の間に配置された第３板状部３７を有している。
【００４６】
まず、第１板状部３５について説明する。
【００４７】
図３に示すように、ハンドスキャナ２０がハンドスキャナホルダ３０Ａに保持された状態で、ハンドスキャナ２０の読取部２２が第１板状部３５に対向する。
【００４８】
図６（ａ）に示すように、第１板状部３５は、ハンドスキャナ２０の読取部２２の両側部（左側部２２ａ及び右側部２２ｂ。図４（ａ）参照）と同様の形状の両側部（左側部３５ａ及び右側部３５ｂ）を有している。すなわち、第１板状部３５は、第３板状部３７（上端部）に向かって横幅（Ｙ軸方向の長さ）が狭くなるテーパ状の両側部（左側部３５ａ及び右側部３５ｂ）を有している。具体的には、第１板状部３５の左側部３５ａ及び右側部３５ｂは、それぞれ、第１板状部３５の上端から下端に向かうに従って第１板状部３５の横幅が徐々に狭くなるように傾斜している。
【００４９】
図５、図６（ａ）に示すように、第１板状部３５は、ハンドスキャナ２０（読取部２２）をガイドするガイド部３３を有している。ガイド部３３は、左ガイド片３３ａ及び右ガイド片３３ｂを有している。左ガイド片３３ａ及び右ガイド片３３ｂが本発明の一対のガイド片の一例である。
【００５０】
左ガイド片３３ａは、第１板状部３５の左側部３５ａに設けられている。同様に、右ガイド片３３ｂは、第１板状部３５の右側部３５ｂに設けられている。具体的には、図６（ａ）に示すように、左ガイド片３３ａ及び右ガイド片３３ｂは、それぞれ、第１板状部３５の上端から下端に向かうに従って左ガイド片３３ａと右ガイド片３３ｂの間の間隔（本発明の第２間隔に相当）が徐々に狭くなるように傾斜している。
【００５１】
図６（ｃ）、図６（ｄ）に示すように、左ガイド片３３ａ及び右ガイド片３３ｂは、それぞれ、側面視で第１板状部３５の前面３５ｃから突出している。左ガイド片３３ａと右ガイド片３３ｂの間の間隔は、読取部２２の左側部２２ａと右側部２２ｂの間の間隔より広い。
【００５２】
図６（ｅ）に示すように、左ガイド片３３ａは、前方斜め左（図６（ｅ）中、下方斜め左）に向かってわずかに傾斜している。同様に、右ガイド片３３ｂは、前方斜め右（図６（ｅ）中、下方斜め右）に向かってわずかに傾斜している。これにより、ハンドスキャナ２０（読取部２２）を左ガイド片３３ａと右ガイド片３３ｂの間に容易に挿入することができる。
【００５３】
次に、第２板状部３６について説明する。
【００５４】
図３に示すように、ハンドスキャナ２０がハンドスキャナホルダ３０Ａに保持された状態で、ハンドスキャナ２０の把持部２１の下部２１ａが第２板状部３６に対向する。
【００５５】
図６（ａ）、図６（ｂ）に示すように、第２板状部３６の外形は、正面視で円形状である。
【００５６】
図７（ａ）は、図６（ａ）のＡ−Ａ断面図である。図７（ａ）中の点線は、ハンドスキャナホルダ３０Ａに保持されている状態のハンドスキャナ２０の外形を示す。図７（ｂ）は、図６（ｅ）のＢ−Ｂ断面図である。図８は、図７（ａ）のＣ−Ｃ断面図である。
【００５７】
図７（ａ）に示すように、第２板状部３６は、前方に向かって凸の凸曲面部３６ａと、凸曲面部３６ａの下端から後方斜め下方に向かって傾斜したガイド斜面部３６ｂと、ガイド斜面部３６ｂの下端から下方に延びた、ＹＺ平面に対して平行な平面部３６ｃと、を有している。
【００５８】
図５〜図８に示すように、第２板状部３６は、前方に向かって凸で中空の半球部３８を有している。第２板状部３６及び半球部３８が保持凹部３４を構成している。図５に示すように、半球部３８の環状端部３８ａは、第２板状部３６の外周部３６ｄに固定されている。図７（ａ）に示すように、第２板状部３６と半球部３８の間には、ハンドスキャナ２０の把持部２１の下部２１ａが挿入される。
【００５９】
半球部３８は、完全な半球形状ではなく、第１貫通穴Ｈ１及びこれに連通する第２貫通穴Ｈ２により左保持片３４ａ及び右保持片３４ｂに分割されている。左保持片３４ａ及び右保持片３４ｂが本発明の一対の保持片の一例である。図６（ｅ）に示すように、第１貫通穴Ｈ１は、楕円形状の貫通穴で、半球部３８の上部に形成されている。第１貫通穴Ｈ１には、ハンドスキャナ２０の把持部２１（下部２１ａ）が挿入される。図６（ａ）、図６（ｆ）に示すように、第２貫通穴Ｈ２は、矩形形状の貫通穴で、半球部３８の下部から第１貫通穴Ｈ１に向かって延びて第１貫通穴Ｈ１に連通している。第２貫通穴Ｈ２には、左保持片３４ａと右保持片３４ｂの間の間隔Ｌ３（図６（ａ）参照）を通過したハンドスキャナ２０のケーブル２４が配置される。
【００６０】
第１貫通穴Ｈ１のＹ軸方向の長さＬ１（図６（ａ）参照）は、ハンドスキャナ２０の把持部２１（下部２１ａ）の直径Ｌ２（図４（ａ）参照）より大きい。したがって、当該第１貫通穴Ｈ１を介してハンドスキャナ２０の把持部（下部２１ａ）を保持凹部３４に挿入することができる。
【００６１】
一方、第２貫通穴Ｈ２のＹ軸方向の長さＬ３（図６（ａ）参照）は、ハンドスキャナ２０の把持部２１（下部２１ａ）の直径Ｌ２（図４（ａ）参照）より小さい。したがって、保持凹部３４に挿入されたハンドスキャナ２０の把持部（下部２１ａ）が、第２貫通穴Ｈ２を通過して保持凹部３４外に出ることはない。つまり、第２貫通穴Ｈ２が形成されているにもかかわらず、ハンドスキャナ２０を、把持部２１の下部２１ａがハンドスキャナホルダ３０Ａの保持凹部３４に挿入された状態でハンドスキャナホルダ３０Ａに保持することができる。
【００６２】
また、第２貫通穴Ｈ２のＹ軸方向の長さＬ３（図６（ａ）参照）は、ハンドスキャナ２０のケーブル２４の直径Ｌ４（図４（ａ）参照）より長い。したがって、ケーブル２４は、左保持片３４ａと右保持片３４ｂの間の間隔Ｌ３（本発明の第１間隔に相当）を通過して第２貫通穴Ｈ２内に自由に出入りすることができる。
【００６３】
図５、図６（ｅ）図７に示すように、左保持片３４ａ及び右保持片３４ｂは、それぞれ、リブ状突起３９を有している。
【００６４】
図６（ｅ）等に示すように、リブ状突起３９は、左保持片３４ａ及び右保持片３４ｂのうち第２貫通穴Ｈ２を挟んで互いに対向する一対の端部３４ａ１、３４ｂ１の内側に、それぞれ、設けられている。
【００６５】
図７（ｂ）に示すように、リブ状突起３９は、Ｙ軸方向に厚みを有する板状部である。図５、図７（ａ）に示すように、リブ状突起３９は、Ｚ軸方向に延びる第１縁部３９ａと、第１縁部３９ａの上端から前方斜め上方に向かって傾斜した第２縁部３９ｂと、第１縁部３９ａと第２縁部３９ｂの交点Ｘと、を含んでいる。
【００６６】
次に、第３板状部３７について説明する。
【００６７】
図３に示すように、ハンドスキャナ２０がハンドスキャナホルダ３０Ａに保持された状態で、ハンドスキャナ２０の把持部２１の上部２１ｂが第３板状部３７に対向する。
【００６８】
図６（ａ）に示すように、第３板状部３７は、ハンドスキャナ２０の把持部２１の上部２１ｂの両側部（図４（ａ）参照）と同様の形状の両側部（左側部３７ａ及び右側部３７ｂ）を有している。
【００６９】
次に、ハンドスキャナ２０をハンドスキャナホルダ３０Ａに保持させる動作の一例について説明する。
【００７０】
ハンドスキャナ２０をハンドスキャナホルダ３０Ａに保持させる際、例えば、顧客は、片手で把持部２１を把持したハンドスキャナ２０をセミセルフ精算装置１０の筐体１１の側面に取り付けられたハンドスキャナホルダ３０Ａに近づける。その際、ハンドスキャナ２０は、読取部２２が上部に位置し、把持部２１が下部に位置した姿勢である。また、ハンドスキャナ２０の読取部２２は、ハンドスキャナホルダ３０Ａの方を向いている。そして、この姿勢のハンドスキャナ２０の把持部２１（下部２１ａ）を、ハンドスキャナホルダ３０Ａの保持凹部３４の上方から第１貫通穴Ｈ１を介して当該保持凹部３４に挿入する。その際、ハンドスキャナ２０のケーブル２４が左保持片３４ａと右保持片３４ｂの間の間隔Ｌ３（図６（ａ）参照）を通過して第２貫通穴Ｈ２内に配置される。
【００７１】
また、その際、ハンドスキャナ２０の読取部２２がハンドスキャナホルダ３０Ａに設けられた左ガイド片３３ａと右ガイド片３３ｂの間に挿入され、左ガイド片３３ａ及び右ガイド片３３ｂによりハンドスキャナ２０（読取部２２）の挿入方向がガイドされる。さらに、ハンドスキャナ２０の把持部２１（下部２１ａ）が第２板状部３６と半球部３８の間に挿入され（図７（ａ）参照）、第２板状部３６によりハンドスキャナ２０（把持部２１の下部２１ａ）の挿入方向がガイドされる。
【００７２】
次に、ハンドスキャナ２０の把持部２１を把持していた手を把持部２１から離す。
【００７３】
すると、ハンドスキャナ２０は、当該ハンドスキャナ２０及びケーブル２４の自重によりガイド部３３及び第２板状部３６により挿入方向がガイドされて把持部２１の下部２１ａがリブ状突起３９に当接する。その際、把持部２１の下部２１ａは、点Ｘ（２カ所）においてリブ状突起３９に当接する。そして、ハンドスキャナ２０は、その当接した点Ｘを中心に図７（ａ）中の矢印４０の方向に回転しようとする。
【００７４】
しかしながら、その回転は、第２板状部３６の平面部３６ｃがハンドスキャナ２０の把持部２１の下部２１ａに当接することで規制される。その際、第２板状部３６の平面部３６ｃは、ハンドスキャナ２０の把持部２１の下部２１ａに点Ｙにおいて当接する。
【００７５】
以上のように、ハンドスキャナ２０は、ハンドスキャナホルダ３０Ａに保持される（図３参照）。具体的には、ハンドスキャナ２０は、ハンドスキャナ２０の把持部２１の上部２１ｂがハンドスキャナホルダ３０Ａの保持凹部３４から上方に突出し、かつ、把持部２１の下部２１ａがハンドスキャナホルダ３０Ａの保持凹部３４に挿入された状態でハンドスキャナホルダ３０Ａに保持される。その際、ハンドスキャナ２０は、ハンドスキャナホルダ３０Ａの三点（点Ｘ（２カ所）及び点Ｙ）が把持部２１の下部２１ａに当接した状態で保持される（図７（ａ）参照）。
【００７６】
これにより、ハンドスキャナ２０は、前後方向（Ｘ軸方向）、横向（Ｙ軸方向）及び上下方向（Ｚ軸方向）の移動が規制された状態でハンドスキャナホルダ３０Ａに保持される。その際、ハンドスキャナ２０は、読取部２２がハンドスキャナホルダ３０Ａに設けられた左ガイド片３３ａと右ガイド片３３ｂの間に挿入された状態で保持されるため、これによっても、ハンドスキャナ２０の横方向（Ｙ軸方向）の移動が規制される。
【００７７】
次に、上記のようにハンドスキャナホルダ３０Ａに保持されたハンドスキャナ２０をハンドスキャナホルダ３０Ａから取り出す動作の一例について説明する。
【００７８】
図９は、ハンドスキャナ２０の把持部２１を片手で把持してハンドスキャナ２０をハンドスキャナホルダ３０Ａから取り出そうとしている様子を表す斜視図である。
【００７９】
図９に示すように、ハンドスキャナ２０は、把持部２１（上部２１ｂ）を片手で把持し、当該把持したハンドスキャナ２０を上方に引き上げることで、ハンドスキャナホルダ３０Ａから取り出すことができる。
【００８０】
その際、図３、図７（ａ）に示すように、ハンドスキャナ２０がハンドスキャナホルダ３０Ａ（保持凹部３４）に保持された状態でハンドスキャナ２０の把持部２１（上部２１ｂ）が保持凹部３４の上方に位置するため、ハンドスキャナ２０をハンドスキャナホルダ３０Ａから取り出す際、ハンドスキャナ２０の把持部２１（上部２１ｂ）を把持した手指がハンドスキャナホルダ３０Ａに当たるのを抑制することができる。その結果、ハンドスキャナ２０をハンドスキャナホルダ３０Ａからスムーズに取り出すことができる。
【００８１】
以上説明したように、実施形態２によれば、ハンドスキャナ２０をハンドスキャナホルダ３０Ａから取り出す際（例えば、上方に引き上げるように取り出す際）、ハンドスキャナ２０の把持部２１（上部２１ｂ）を把持した手指がハンドスキャナホルダ３０Ａに当たるのを抑制することができるスキャナ装置、ハンドスキャナホルダ、及びハンドスキャナ保持方法を提供することができる。
【００８２】
また、実施形態２によれば、ガイド部３３を備えているため、ハンドスキャナ２０をハンドスキャナホルダ３０Ａに保持させる際、ハンドスキャナホルダ３０Ａ（保持凹部３４）に対するハンドスキャナ２０（把持部２１の下部２１ａ）の挿入方向をガイドすることができる。
【００８３】
次に、変形例について説明する。
【００８４】
上記実施形態２では、ハンドスキャナホルダ３０Ａ（保持凹部３４）の三点（リブ状突起３９の点Ｘ（２カ所）及び平面部３６ｃの点Ｙ）がハンドスキャナ２０の把持部２１（下部２１ａ）に当接した状態でハンドスキャナ２０を保持する例（図７（ａ）参照）について説明したが、これに限らない。例えば、リブ状突起３９及び平面部３６ｃに代えて、ハンドスキャナ２０の把持部２１（下部２１ａ）の外周面にフィットする面（例えば、凹面）をハンドスキャナホルダ３０Ａに設け、当該面がハンドスキャナ２０の把持部２１（下部２１ａ）に接触（例えば、線接触又は面接触）した状態でハンドスキャナ２０を保持するようにしてもよい。なお、実施形態１のハンドスキャナホルダ３０についても、同様の面を設けてもよい。
【００８５】
また、上記各実施形態では、ハンドスキャナの把持部として、ＸＹ平面による断面形状が楕円形状（図８参照）でＺ軸方向に延びる把持部２１（棒状部）を用いた例について説明したが、これに限らない。例えば、ハンドスキャナの把持部として、ＸＹ平面による断面形状が三角形状、多角形状、その他の形状でＺ軸方向に延びる把持部（棒状部）を用いてもよい。この場合、保持凹部３４（例えば、第１貫通穴Ｈ１）を、把持部２１（断面形状）に対応する形状とすればよい。
【００８６】
また、上記各実施形態では、筐体として、セミセルフ精算装置１０の筐体１１を用いた例について説明したが、これに限らない。例えば、筐体として、顧客自身が、購入する商品を登録し、商品代金の精算を行うセルフＰＯＳ装置等のハンディスキャナを備える他の装置（例えば、情報処理装置）の筐体を用いてもよい。また、筐体として、店舗の店員（ユーザ）が操作するＰＯＳ装置等のハンディスキャナを備える他の装置（例えば、情報処理装置）の筐体を用いてもよい。
【００８７】
上記実施形態で示した数値は全て例示であり、これと異なる適宜の数値を用いることができるのは無論である。
【００８８】
上記実施形態はあらゆる点で単なる例示にすぎない。上記実施形態の記載によって本発明は限定的に解釈されるものではない。本発明はその精神または主要な特徴から逸脱することなく他の様々な形で実施することができる。
【符号の説明】
【００８９】
１Ａ、１Ｂ  スキャナ装置
１０  セミセルフ精算装置
１１  筐体
２０  ハンドスキャナ
２１  把持部
２１ａ  下部
２１ｂ  上部
２２  読取部
２２ａ  左側部
２２ｂ  右側部
２３  中間部
２４  ケーブル
３０、３０Ａハンドスキャナホルダ
３１  基台部
３２  基台部本体
３２ａ  ネジ用穴
３３  ガイド部
３３ａ  左ガイド片
３３ｂ  右ガイド片
３４  保持凹部
３４ａ  保持片（左保持片）
３４ａ１  端部
３４ｂ  右保持片
３４ｂ１  端部
３５  第１板状部
３５ａ  左側部
３５ｂ  右側部
３５ｃ  前面
３６  第２板状部
３６ａ  凸曲面部
３６ｂ  ガイド斜面部
３６ｃ  平面部
３６ｄ  外周部
３７  第３板状部
３７ａ  左側部
３７ｂ  右側部
３８  半球部
３８ａ  環状端部
３９  リブ状突起
３９ａ  第１縁部
３９ｂ  第２縁部
１２０  ハンドスキャナ
１２１  把持部
１２２  読取部
１２２ａ  左側部
１２２ｂ  右側部
１３０  ハンドスキャナホルダ
１３１  基台部
１３２ａ  アーム
１３２ｂ  アーム
Ｈ１  貫通穴
Ｈ２  貫通穴
Ｌ２  直径
Ｌ４  直径
【図１】
0006958935.tif 000002
【図２】
0006958935.tif 000003
【図３】
0006958935.tif 000004
【図４】
0006958935.tif 000005
【図５】
0006958935.tif 000006
【図６】
0006958935.tif 000007
【図７】
0006958935.tif 000008
【図８】
0006958935.tif 000009
【図９】
0006958935.tif 000010
【図１０】
0006958935.tif 000011
【図１１】
0006958935.tif 000012